(57)【特許請求の範囲】
【請求項１】
第１及び第２の電子機器をラックの高さ方向に配設するラック部をラック本体内に備えた電子機器および熱交換機を備えた収納ラックにおいて、
前記ラック部の側部に熱交換機を備えた熱交換室を設け、該熱交換室のケーシングに、前記熱交換機で温調された空気を送出する高さ方向に延在した開口部と前記ラック部の前記各電子機器から排出された空気を吸入する吸入部とを設けるとともに、前記ケーシングの任意の高さ位置に、前記開口部に連通するエアダクト及び該エアダクトを備えない前記開口部の箇所を閉鎖するブランクを選択的に取り付け可能に構成し、
前記第１の電子機器に適合した前記開口部の高さ位置に前記エアダクトを設けて当該エアダクトを前記第１の電子機器の側面に設けられた空気吸入部に接続することで前記熱交換室からの空気を前記第１の電子機器に供給する第１の空気供給路を構成し、
前記第２の電子機器に適合した前記開口部の高さ位置に前記エアダクトを設けて当該エアダクトを前記第２の電子機器の側面に設けられた空気吸入部に接続することで前記熱交換室からの空気を前記第２の電子機器に供給する第２の空気供給路を構成する一方、
前記各電子機器の背面より排出された空気を前記吸入部より吸入することを特徴とした電子機器および熱交換機が収納された収納ラック。
【請求項２】
前記温調された空気は前記熱交換機、前記第１の電子機器の内部、前記熱交換機の順で還流し、その空気流は前記第１および第２の電子機器のラックへの配設方向を高さ方向としたとき、その高さ方向に対しほぼ水平方向に循環すると共に、前記温調された空気は前記熱交換機、前記第２の電子機器の内部、前記熱交換機の順で還流することを特徴とする請求項１記載の電子機器および熱交換機が収納された収納ラック。
【請求項３】
前記各供給路での通流量を個別に変更可能に構成したことを特徴とする請求項１記載の電子機器および熱交換機が収納された収納ラック。
【発明の詳細な説明】
【技術分野】
【０００１】
本発明は、サーバコンピュータやネットワーク機器等の電子機器を収納する電子機器収納ラックに関する。
【背景技術】
【０００２】
従来、サーバコンピュータやネットワーク機器等の電子機器を管理する際には、１９インチキャビネットや１９インチラック等の電子機器収納ラックが用いられている。
【０００３】
この電子機器収納ラックには、例えばサーバー等の電子機器が実装されるように構成されており、これらの電子機器の発熱によってラック内温度が上昇すると、収納された電子機器の安定した運転に支障を来してしまう。
【０００４】
このため、このような不具合を防止する装置として、電子機器冷却装置が知られている（例えば、特許文献１参照。）。
【０００５】
この電子機器冷却装置では、筐体の下部に冷却用熱交換機が設けられており、前記筐体内の空気を前面カバーから吸引して前記冷却用熱交換機で冷却した後、冷却された空気を背面カバーから筐体内へ供給できるように構成されている。
【０００６】
これにより、筐体内の空気を冷却することで、筐体内の電子機器の温度上昇を抑えられるように構成されている。
【先行技術文献】
【特許文献】
【０００７】
【特許文献１】特開２００７−２３４７９１号公報
【発明の概要】
【発明が解決しようとする課題】
【０００８】
しかしながら、このような電子機器収納ラックにあっては、前記冷却用熱交換機で冷却された空気を前記背面パネルを介して前記筐体内に供給し、前記前面パネルから回収するように構成されているが、そのような構造では電子機器の空気取り入れ口の開口面積の大きな電子機器、冷却用熱交換機の近傍に配置された電子機器に供給された空気が集中する傾向にあり、電子機器を効率的に冷却することができないという問題があった。
【０００９】
また、前記電子機器は上下に重ねて配置されており、下段の電子機器から放出された熱は上段の電子機器で吸収され易く、上段の電子機器から放出された熱は下段の電子機器で吸収され難い傾向にある。
【００１０】
このため、各電子機器の配置や稼働状態によって各電子機器での冷却状態に差が生じてしまい電子機器の安定的な動作にも影響を与えてしまう。
【００１１】
本発明は、このような従来の課題に鑑みてなされたものであり、他の電子機器の稼働状態による影響を受けることなく、各電子機器の冷却効率を高めることができる電子機器収納ラックを提供することを目的とするものである。
【課題を解決するための手段】
【００１２】
前記課題を解決するために本発明の請求項１の電子機器および熱交換機が収納された収納ラックにあっては、第１及び第２の電子機器をラックの高さ方向に配設するラック部をラック本体内に備えた電子機器および熱交換機を備えた収納ラックにおいて、前記ラック部の側部に熱交換機を備えた熱交換室を設け、該熱交換室のケーシングに、前記熱交換機で温調された空気を送出する高さ方向に延在した開口部と前記ラック部の前記各電子機器から排出された空気を吸入する吸入部とを設けるとともに、前記ケーシングの任意の高さ位置に、前記開口部に連通するエアダクト及び該エアダクトを備えない前記開口部の箇所を閉鎖するブランクを選択的に取り付け可能に構成し、前記第１の電子機器に適合した前記開口部の高さ位置に前記エアダクトを設けて当該エアダクトを前記第１の電子機器の側面に設けられた空気吸入部に接続することで前記熱交換室からの空気を前記第１の電子機器に供給する第１の空気供給路を構成し、前記第２の電子機器に適合した前記開口部の高さ位置に前記エアダクトを設けて当該エアダクトを前記第２の電子機器の側面に設けられた空気吸入部に接続することで前記熱交換室からの空気を前記第２の電子機器に供給する第２の空気供給路を構成する一方、前記各電子機器の背面より排出された空気を前記吸入部より吸入する。
【００１３】
また、請求項２の電子機器収納ラックにおいては、前記温調された空気は前記熱交換機、前記第１の電子機器の内部、前記熱交換機の順で還流し、その空気流は前記第１および第２の電子機器のラックへの配設方向を高さ方向としたとき、その高さ方向に対しほぼ水平方向に循環すると共に、前記温調された空気は前記熱交換機、前記第２の電子機器の内部、前記熱交換機の順で還流する。
【００１４】
すなわち、第１および第２電子機器が高さ方向に配設されたラック部の側部には、熱交換機を備えた熱交換室が設けられており、該熱交換室には、前記ラック部の前記電子機器から排出された空気を吸入する吸入部と、吸入された空気を温調して送出するエアダクトで構成された第１および第２送出部とが設けられている。
【００１５】
また、前記第１の送出部は第１の空気供給路を介して前記第１の電子機器の空気吸入部に接続されるとともに、前記第２の送出部は第２の空気供給路を介して前記第２の電子機器の空気吸入部に接続されており、前記熱交換機で温調された空気は、対応する第１および第２電子機器の空気吸入部からそれぞれ個別に供給される。
【００１６】
これにより、前記熱交換機で温調された空気は、前記各空気供給路を介して対応する電子機器に確実に供給され、前記第１および第２電子機器で熱を吸収した空気は、前記熱交換室の前記吸入部より回収される。
【００１７】
このとき、前記第１および第２送出部から前記第１および第２空気供給路を介して前記第１および第２電子機器の内部へ供給される空気は、前記第１および第２の電子機器の配設方向を高さ方向としたとき、その高さ方向に対しほぼ水平方向に循環するように構成されている。
【００１８】
このため、下側に配置された電子機器での発熱量が多い場合であっても、この下側の電子機器で加熱された空気が上側に配置された電子機器に取り込まれ、当該電子機器に影響を与えるといった不具合が回避される。
【００２１】
さらに、請求項３の電子機器収納ラックでは、前記各供給路での通流量を個別に変更可能に構成した。
【００２２】
すなわち、前記各電子機器に対応した前記各供給路において、その通流量を個別に変更することができる。
【００２３】
このため、発熱量の多い電子機器にあっては通流量を多く設定し、発熱量の少ない電子機器においては通流量を少なくする等、温調された空気の通流量が電子機器毎に設定される。
【発明の効果】
【００２４】
本発明によれば、従来よりも電子機器の温調の制御精度を向上することが可能である。
【図面の簡単な説明】
【００２５】
【図１】本発明の一実施の形態を示す図である。
【図２】同実施の形態にエアダクト等を取り付けた状態を示す図である。
【図３】図８のＡ−Ａ線に沿った断面を示す説明図である。
【図４】（ａ）は同実施の形態のブランクを示す斜視図であり、（ｂ）は同実施の形態のエアダクトを示す斜視図である。
【図５】同実施の形態のエアダクトを示す説明図である。
【図６】同実施の形態のラック本体の要部を示す説明図である。
【図７】同実施の形態のラック本体の要部を示す図で、（ａ）は右用ガイドレールの取付状態を示す説明図であり、（ｂ）は左用ガイドレールを示す説明図である。
【図８】同実施の形態のラック部に電子機器を収納する状態を示す説明図である。
【図９】同実施の形態の環流経路を示す説明図である。
【図１０】同実施の形態の天部での通線状態を示す説明図である。
【発明を実施するための形態】
【００２６】
以下、本発明の一実施の形態を図に従って説明する。なお、この実施の形態は、本発明の一例である。
【００２７】
図１及び図２は、本実施の形態にかかる電子機器収納ラック１を示す図であり、外周面を構成するカバー類が外された状態が示されている。この電子機器収納ラック１は、サーバコンピュータやネットワーク機器等の電子機器を収納して管理するものであり、工場設備、Ｎｅｔｗｏｒｋ設備等での使用に適した１９インチラックが示されている。
【００２８】
この電子機器収納ラック１のラック本体１１は、骨格を構成するフレーム１２を備えており、該フレーム１２は、底部を構成する矩形枠状の底枠部１３と、該底枠部１３の四隅に立設された支柱部１４，・・・と、各支柱部１４，・・・の上端を連設する矩形枠状の天枠部１５とによって構成された縦長の直方体形状に形成されている。このフレーム１２の前記底枠部１３の下部には、矩形状のベース１６が設けられており、該ベース１６には、従来のラックと同様にアンカーやキャスター等が設けられている。
【００２９】
このラック本体１１内は、図３に示したように、複数の電子機器２１，・・・を高さ方向に配設するラック部２２が右寄りに形成されており、該ラック部２２の左側部には、熱交換室２３が設けられている。
【００３０】
この熱交換室２３は、ケーシング３１で覆われており、図１及び図２に示したように、前記ラック本体１１と同程度の高さを備えるとともに、当該ラック本体１１の左側に設置されている。前記ケーシング３１は、図３に示したように、奥行き方向に長い直方体形状に形成されており、その前面３２は、内側へ向かうに従って後方へ傾斜するように構成されている。
【００３１】
このケーシング３１の後面４１と前記ラック本体１１の背面との間には、空間が残存するように構成されており、当該空間によって前記ラック部２２側に連通した連通路４２が形成されている。該連通路４２に面した前記ケーシング３１の前記後面４１には、複数の後方開口部が設けられており、前記ラック部２２の前記電子機器２１から排出された空気を前記連通路４２を介して当該ケーシング３１内に吸い込む為の吸入部４３が高さ方向全域に渡って形成されている。
【００３２】
この熱交換室２３の前記ケーシング３１内には、冷水が循環する水冷式ラジエータで構成された熱交換機５１が斜めに配設されており、前記吸入部４３から吸い込まれた空気を当該熱交換機５１を通過させることによって、所定温度まで冷却できるように構成されている。
【００３３】
前記ケーシング３１の右側面６１の前側には、図１に示したように、縦長の角穴６２が高さ方向全域に渡って開設されており、該角穴６２の奥側には複数のファン６３，・・・が縦方向に配列され、前記熱交換機５１で温調された空気を送出する為の送出部６４が前記角穴６２によって構成されている。
【００３４】
これにより、図３に示したように、前記各ファン６３，・・・で前記ケーシング３１内の空気を前記送出部６４から前記ラック部２２側へ送出することによって、前記ケーシング３１内に負圧を生じさせ、この負圧により前記後面４１の前記吸入部４３から前記ラック部２２側の空気を吸い込めるように構成されている。このとき、前記吸入部４３から吸い込んだ空気を前記熱交換機５１を通過させることで、この空気から熱を奪えるように構成されており、これにより冷却された空気を供給できるように構成されている。
【００３５】
前記角穴６２の外周部には、矩形筒状の枠体７１が当該角穴６２を包囲するように設けられており、該枠体７１の先端には、図１に示したように、側方に延出したフランジが形成されている。左方に延出した左フランジ部７２及び右方に延出した右フランジ部７３には、複数の取付穴７４，・・・が一定の間隔をおいて縦方向に配列されており、各取付穴７４，・・・には、ボルトを螺入できるように構成されている。
【００３６】
これにより、前記両フランジ部７２，７３には、図２に示したように、任意の高さに配置したブランク８１，・・・やエアダクト８２，・・・を架橋した状態でボルトによって固定できるように構成されている。
【００３７】
前記ブランク８１は、図４の（ａ）に示すように、平板状に形成されており、前記両フランジ部７２，７３間に架橋できる長さ寸法に設定されている。このブランク８１の両端部には、前記各フランジ部７２，７３に設けられた取付穴７４，・・・に合致する長穴８２ａ，８２ａが設けられており、各長穴８２ａ，８２ａに挿通したボルト８３，８３を任意の取付穴７４，・・・に螺入することで、当該ブランク８１で前記角穴６２の任意の高さ位置の一部を閉鎖した状態で前記両フランジ部７２，７３に固定できるよう構成されている。
【００３８】
このブランク８１の上縁部及び下縁部は、表面側に折曲されており、起立壁９１，９２が形成されている。上縁に形成された起立壁９１には、断熱材９３が当該起立壁９１に沿って延設されており、近接して配置されたブランク８１又は前記エアダクト８２間に形成される隙間を閉鎖できるように構成されている。
【００３９】
前記エアダクト８２としては、図２に示したように、前記ブランク８１の高さ寸法を一単位１Ｕとした際に、その二倍の高さ寸法の２Ｕに設定されたエアダクト８２と、三倍の高さ寸法の３Ｕに設定されたエアダクト８２とが用意されており、対応させる電子機器２１の高さ寸法に応じて選択的に使用できるように構成されている。なお、図示されていないが一倍の高さ寸法の１Ｕに設定されたエアダクト８２も用意されている。
【００４０】
図４の（ｂ）は、２Ｕのエアダクト８２を示す図で、該エアダクト８２は、矩形状のダクト本体１０１を中心に構成されており、該ダクト本体１０１の周壁１０２は、矩形筒状に形成されている。この周壁１０２を構成する左壁面１０３及び右壁面１０４の基端部には、側方に折曲されてなる折曲部１０５，１０６が形成されており、一方の折曲部１０５から他方の折曲部１０６までの長さ寸法は、前記両フランジ部７２，７３に架橋できる長さに設定されている。
【００４１】
前記各折曲部１０５，１０６には、前記各フランジ部７２，７３に設けられた取付穴７４，・・・に合致する長穴１１１，１１１がそれぞれの二箇所に設けられており、該長穴１１１，１１１に挿通したボルト１１２，１１２を前記取付穴７４，・・・に螺入することで、当該エアダクト８２で前記角穴６２の任意の高さ位置の一部を覆った状態で前記両フランジ部７２，７３に固定できるよう構成されている。
【００４２】
前記ダクト本体１０１の前記周壁１０２の先端には、矩形板状の天面１２１が連設されており、該天面１２１の中央部には、長方形状の連通穴１２２が開設されている。これにより、前記角穴６２から前記枠体７１を介して送出された空気を前記ラック部２２側へ供給する供給路１２３が形成されるように構成されている（図３参照）。
【００４３】
前記ダクト本体１０１の前記天面１２１には、図４の（ｂ）に示すように、矩形枠状に形成されたゴム製のパッキン１３１が周縁に沿って固定されており、前記天面１２１には、前記パッキン１３１と前記連通穴１２２との間に矩形枠状の取付領域１３２が残存している。
【００４４】
この取付領域１３２には、図５に示すように、長方形状の風量調整パネル１４１を選択的にネジ１４２，・・・止めできるように構成されており、該風量調整パネル１４１には、当該エアダクト８２を通過する通流量を制限する小径の通流穴１４３，・・・が複数開設されている。
【００４５】
これにより、前記ダクト本体１０１に前記風量調整パネル１４１を選択的に取り付けることによって、各エアダクト８２が構成する前記供給路１２３（図３参照）での通流量を、各エアダクト８２毎に個別に変更できるように構成されている。
【００４６】
このダクト本体１０１の前記周壁１０２における上縁にも、断熱材１５１が延設されており、近接して配置された前記ブランク８１又は他のエアダクト８２間に形成される隙間を閉鎖できるように構成されている。
【００４７】
この熱交換室２３の側部に設けられた前記ラック部２２は、図３に示したように、前後及び左右に間隔をおいて立設された左前ピラー２０１と左奥ピラー２０２と右前ピラー２０３と右奥ピラー２０４とによって構成されている。各ピラー２０１〜２０４は、クランク状に折曲されてなる金属板によって構成されており、前記フレーム１２と同高さを有している。
【００４８】
前記左前ピラー２０１及び前記左奥ピラー２０２は、図１及び図２に示したように、その下端部が前記フレーム１２の底枠部１３に架橋された左下クロスメンバ２１１に固定されており、その上端部は、前記フレーム１２の天枠部１５に架橋された左上クロスメンバ２１２に固定されている。
【００４９】
また、前記右前ピラー２０３及び前記右奥ピラー２０４は、その下端部が前記フレーム１２の底枠部１３に固定されており、その上端部は、前記フレーム１２の前記天枠部１５に固定されている。
【００５０】
前記左前ピラー２０１及び前記左奥ピラー２０２間と、前記右前ピラー２０３及び前記右奥ピラー２０４間には、図６に示したように、左用ガイドレール２２１，・・・及び右用ガイドレール２２２，・・・が架橋した状態で高さ方向に間隔をおいて固定されており、上下の配置間隔は、搭載する電子機器２１の高さ寸法に合わせて調整できるように構成されている。
【００５１】
前記各ガイドレール２２１，２２２は、断面Ｌ字状のアングル材によって構成されており、固定面２３１が前記各ピラー２０１〜２０４の所定箇所にネジ止めされた状態で、支持面２３２が内側へ延出するように構成されている。
【００５２】
前記右前ピラー２０３及び前記右奥ピラー２０４間に架橋された前記右用ガイドレール２２２における前記支持面２３２の後端部には、図７の（ａ）に示すように、当該支持面２３２に起立した後部ユニットガイド２４１が固定されており、該後部ユニットガイド２４１は、手前側から奥側へ向かうに従って左方へ傾斜するように設けられている。
【００５３】
前記左前ピラー２０１及び前記左奥ピラー２０２間に架橋される前記左用ガイドレール２２１における前記支持面２３２の前端部には、図６及び図７の（ｂ）に示したように、当該支持面２３２に起立した前部ユニットガイド２５１が固定されており、該前部ユニットガイド２５１の前端部は、手前側から奥側へ向かうに従って右方へ傾斜するガイド面２５２を構成している。
【００５４】
これにより、図８に示すように、前記ラック本体１１の前部より電子機器２１を背面部側から挿入して前記ラック部２２の設けられた所定高のガイドレール２２１，２３２に支持する際には、初期段階において、電子機器２１の後端部が前記前部ユニットガイド２５１の前記ガイド面２５２に案内されることによって右寄りにガイドされる。そして、当該電子機器２１の後端部が前記後部ユニットガイド２４１に達した際には、当該後部ユニットガイド２４１によって左方にガイドされるように構成されており、当該電子機器２１のケーシング２６１の左側面２６２に開設された図外の空気吸入部である吸気口の外周部に前記エアダクト８２のパッキン１３１を密着できるように構成されている。
【００５５】
これにより、前記角穴６２で構成された前記送出部６４は、当該角穴６２の外周部に固定された前記エアダクト８２を介して、前記ラック部２２に支持された特定の電子機器２１に接続されるように構成されており、前記熱交換機５１で温調された空気を複数設けられた前記各エアダクト８２，・・・によって対応する電子機器２１へその側面から供給できるように構成されている。
【００５６】
このとき、前記角穴６２からの温調された空気は、横方向に延出する前記エアダクト８２，・・・を介して上下に配置された前記各電子機器２１，・・・へ供給されるように構成されており、前記各エアダクト８２，・・・から供給される空気は、図９に示すように、当該ラック本体１１内を、それぞれほぼ水平方向に環流するように構成されている。
【００５７】
その具体的な構造としては、電子機器２１，・・・の奥行き方向の寸法を統一することで電子機器２１，・・・から排出された空気が他の電子機器２１，・・・のボディ等でスムーズな還流を阻害されることを防ぐことができる。
【００５８】
これにより、図３に示したように、熱交換機５１−＞エアダクト８２−＞電子機器２１内部−＞電子機器２１背面（排気）−＞吸入部４３−＞熱交換機５１の順に、各電子機器２１，・・・の高さ位置毎にほぼ水平方向に延在する環流経路９５，・・・が形成されるように構成されている。
【００５９】
前記左前ピラー２０１及び前記左奥ピラー２０２間に架橋される前記左用ガイドレール２２１における前記固定面２３１には、図７の（ｂ）に示すように、矩形状の切り欠き２８１が前端部寄りの部位に形成されており、当該切り欠き２８１は、前記角穴６２外周の前記枠体７１より突出した前記エアダクト８２を挿通できる大きさに形成されている。
【００６０】
そして、前記ラック本体１１の天部には、図１０に示すように、矩形状のトップカバー３０１が設けられており、該トップカバー３０１によって天部が覆われている。該トップカバー３０１の後寄りには、ケーブルや配管を引き込む為の導入口３０２が開設されており、この導入口３０２は、通線プレート３０３によって閉鎖されている。該通線プレート３０３には、ケーブルサイズに合わせて設けられた挿通穴３０４，・・・が複数開設されており、各挿通穴３０４，・・・には、内部と外部とを接続するケーブル等３０５，・・・が挿通されている。
【００６１】
このケーブル等３０５，・・・には、断熱性を有するゴム等で構成された円錐台形状の通線ブッシュ３１１がケーブル等３０５に沿って移動可能に外嵌されており、このケーブル等３０５をラック本体１１内に引き込む際に、前記ケーブル等３０５に外嵌した前記通線ブッシュ３１１を先細りした先端部側から前記挿通穴３０４に引き込むことによって前記ケーブル等３０５周囲の小さな隙間をも閉鎖して断熱効果を発揮できるように構成されている。
【００６２】
そして、前記ラック本体１１の前記トップカバー３０１と、前記通線プレート３０２と、前記ラック本体１１の側面を形成する前記サイドカバー３２１，３２１と、前記ラック本体１１の背面形成する背面カバー３２２と、前面を開閉する前記スチールドア３２３，３２３と、前記熱交換室２３のケーシング３１とは、断熱構造を備えており、その断熱構造としては、図３に示したように、前記ラック本体１１を構成する前記各部材３０１，３０２，３２１，３２１，３２２，３２３，３２３の内側面及び前記熱交換室２３のケーシング３１の内側面に発泡ウレタンで構成された断熱部材３３１，・・・を設けたり、断熱塗料を塗布する等の構造が挙げられる。
【００６３】
以上の構成にかかる本実施の形態において、複数の電子機器２１，・・・が高さ方向に配設される前記ラック部２２の側部には、熱交換機５１を備えた熱交換室２３が設けられており、該熱交換室２３には、前記ラック部２２の前記電子機器２１，・・・から排出された空気を吸入する吸入部４３と、吸入された空気を温調して送出する送出部６４とが設けられている。
【００６４】
また、この送出部６４を前記各電子機器２１，・・・に個別に接続する供給路１２３がエアダクト８２，・・・等により構成されており、前記熱交換機５１で温調された空気を、対応する電子機器２１，・・・の側面から直接個別に供給することができる。
【００６５】
これにより、前記熱交換機５１で温調された空気を、前記供給路１２３によって対応する電子機器２１，・・・に確実に供給した後、各電子機器２１，・・・からの熱を吸収した空気を、前記熱交換室２３の前記吸入部４３より回収することができる。
【００６６】
このため、背面パネルから供給された空気が、電子機器間の隙間を通って前面パネルから直接回収されてしまう恐れのあった従来と比較して、収納された各電子機器２１，・・・を個別に効率的に冷却することができる。
【００６７】
また、温調された空気の取り込みが、空気取り入れ口の開口面積の大きな電子機器や、冷却用熱交換機の近傍に配置された電子機器によって集中的に行われてしまうといった不具合を解消することができ、他の電子機器２１の影響を受けることなく、各電子機器２１，・・・を効率的に冷却することができる。
【００６８】
このとき、前記送出部６４から前記各供給路１２３，・・・を介して前記各電子機器２１，・・・へ供給される空気は、それぞれほぼ水平方向に環流するように構成されており、上下の電子機器２１，２１を通過する空気の環流経路９５，９５の不用意な交差を抑制することができる。
【００６９】
すなわち、下側に配置された電子機器２１を第１の電子機器、上側に配置された電子機器を第２の電子機器、熱交換室２３からの温調された空気を下側の電子機器２１に送出するエアダクト８２を第１の送出部、前記温調された空気を上側の電子機器２１に送出するエアダクト８２を第２の送出部とするとともに、前記第１の送出部が第１の空気供給路を介して前記第１の電子機器の空気吸入部に接続され、前記第２の送出部が第２の空気供給路を介して前記第２の電子機器の空気吸入部に接続されるとして具体的に説明すると、前記第１の送出部から前記第１の空気供給路を介して前記第１の電子機器へ供給された後に回収される空気と、前記第２の送出部から前記第２の空気供給路を介して前記第２の電子機器へ供給された後に回収される空気とは、それぞれほぼ水平方向に環流するように構成されており、前記第１の電子機器を通過する空気の環流経路と、前記第２の電子機器を通過する空気の環流経路との不用意な交差が抑制される。
【００７０】
このため、下側に配置された第１の電子機器２１での発熱量が多い場合であっても、当該第１の電子機器２１で加熱された空気が上側に配置された前記第２の電子機器２１で取り込まれ、当該第２の電子機器２１での冷却効率を下げるといった不具合を回避することができる。
【００７１】
したがって、他の電子機器２１の稼働状態や発熱状態による影響を受けることなく、各電子機器２１，・・・の冷却効率を高めることができる。
【００７２】
なお、ここでは、独立的な空気の環流を明確にする為に、下側に配置された電子機器２１を第１の電子機器、上側に配置された電子機器を第２の電子機器とした場合を具体例として説明したが、電子機器２１はさらに複数あっても良く、前述と同様の作用効果を得ることができる。
【００７３】
また、前記ラック本体１１の前記トップカバー３０１の内側面と、前記通線プレート３０２の内側面と、前記ラック本体１１の側面を形成する前記サイドカバー３２１，３２１の内側面と、前記ラック本体１１の背面形成する背面カバー３２２内側面と、前面を開閉する前記スチールドア３２３，３２３内側面と、前記熱交換室２３のケーシング３１の内側面とには、発泡ウレタンで構成された断熱部材が設けられており、ラック本体１１内外での断熱効果を高めることができる。
【００７４】
これにより、当該ラック本体外からの熱の侵入を防止することができ、発熱量が大きい他のラックが近接して配置されたり、外周部の温度が高い場合であっても、収納された電子機器２１，・・・を一定温度に保つことができる。
【００７５】
そして、前記各エアダクト８２には、風量調整パネル１４１を選択的に取り付けられるように構成されており、各エアダクト８２が構成する前記供給路１２３，・・・での通流量を各エアダクト８２毎に個別に変更できるように構成されている。
【００７６】
このため、発熱量の多い電子機器２１にあっては、例えば前記風量調整パネル１４１を取り外すことによって通流量を多く設定する一方、発熱量の少ない電子機器２１においては、前記風量調整パネル１４１を取り付けることによって通流量を少なくすることができ、温調された空気の通流量を電子機器２１，・・・毎に個別設定することができる。
【００７７】
これにより、電子機器２１，・・・毎に適した発熱対策が可能となる。
【符号の説明】
【００７８】
１    電子機器収納ラック
１１    ラック本体
２１    電子機器
２２    ラック部
２３    熱交換室
４３    吸入部
５１    熱交換機
６４    送出部
８２    エアダクト
９５    環流経路
１２３    供給路
１４１    風量調整パネル
２６２    左側面
３３１    断熱部材
【図１】
0005608878.tif 000002
【図２】
0005608878.tif 000003
【図３】
0005608878.tif 000004
【図４】
0005608878.tif 000005
【図５】
0005608878.tif 000006
【図６】
0005608878.tif 000007
【図７】
0005608878.tif 000008
【図８】
0005608878.tif 000009
【図９】
0005608878.tif 000010
【図１０】
0005608878.tif 000011